(57)【要約】【課題】電圧降下を補償するための有機電界発光表示装置の電源ラインとカソードコンタクトの配置構造、あるいは電源ラインとカソード電極の電圧降下が相殺されるような、有機電界発光表示装置の電源ラインとカソードコンタクトの配置構造を提供する。【解決手段】平板表示装置は画素が配列される画素領域を備える絶縁基板と、画素に電源電圧を供給するための電源ラインと、画素にカソード電圧を供給するためのカソードコンタクトを備えるカソード電極を含み、電源ラインの入力側とカソード電極のカソードコンタクトが画素領域を間に置いて相互に対向するように基板上に配列される。カソード電極は外部からカソード電圧を印加するためのカソードバスラインをさらに備え、カソードバスラインとカソードコンタクトを通じて接触されて外部からカソード電圧を画素に提供する。【選択図】図１
2005078071.tif 000002
【特許請求の範囲】
【請求項１】
複数の画素が配列される画素領域を備える絶縁基板と、
前記画素に第１電圧を供給するための電源ラインと、
前記画素に第２電圧を供給するためのコンタクトを備える電極とを含み、
前記電源ラインの入力端と前記電極のコンタクトが画素領域を間に置いて相互に対向するように前記基板上に配列されることを特徴とする有機電界発光表示装置。
【請求項２】
前記電極はカソード電極であって、前記コンタクトはカソードコンタクトであり、第２電圧はカソード電圧であることを特徴とする請求項１に記載の有機電界発光表示装置。
【請求項３】
前記電極はカソード電極であって、外部からカソード電圧を印加するためのカソードバスラインをさらに備え、前記電極はカソードバスラインと前記コンタクトを通じて接触されて外部からカソード電圧を前記画素に提供することを特徴とする請求項１に記載の有機電界発光表示装置。
【請求項４】
複数の画素が配列される画素領域を備える絶縁基板と、
前記画素に第１電圧を供給するための電源ラインと、
前記画素に第２電圧を供給するためのコンタクトを備える電極とを含み、
前記電源ラインの入力端と前記電極のコンタクトは、電源ラインの電圧降下とカソード電極の電圧降下が相互に相殺されるように画素領域の外廓部基板上に配列されることを特徴とする有機電界発光表示装置。
【請求項５】
前記電極はカソード電極であって、前記コンタクトはカソードコンタクトであり、第２電圧はカソード電圧であることを特徴とする請求項４に記載の有機電界発光表示装置。
【請求項６】
前記電極はカソード電極であって、外部からカソード電圧を印加するためのカソードバスラインをさらに備え、前記電極は前記コンタクトを通じて接触されて外部からカソード電圧を前記画素に提供することを特徴とする請求項４に記載の有機電界発光表示装置。
【請求項７】
前記電源ラインは、前記画素領域の外廓部に配列される少なくとも一つ以上の入力端を備え、前記コンタクトは前記画素領域の外廓部のうち前記電源ラインの入力端が配列されていない外廓部に配列されることを特徴とする請求項４に記載の有機電界発光表示装置。
【請求項８】
前記電源ラインは、前記画素領域の外廓部に配列される少なくとも一つ以上の入力端を備え、前記コンタクトは前記電源ラインの入力端と前記画素領域の外廓部に対向して配列されることを特徴とする請求項４に記載の有機電界発光表示装置。
【請求項９】
それぞれ第１電極とコンタクトを備える第２電極を少なくとも備える複数の画素が配列される画素領域を備える絶縁基板と、
前記画素に電源電圧を供給するための電源ラインとを含み、
前記電源ラインに連結される画素の前記第１電極と第２電極間の電圧差が均一になるように、前記電源ラインの入力端と前記電極のコンタクトが画素領域の外廓部に配列されることを特徴とする有機電界発光表示装置。
【請求項１０】
前記電極はカソード電極であって、前記コンタクトはカソードコンタクトであり、第２電圧はカソード電圧であることを特徴とする請求項９に記載の有機電界発光表示装置。
【請求項１１】
前記電極はカソード電極であって、外部からカソード電圧を印加するためのカソードバスラインをさらに備え、前記電極はカソードバスラインと前記コンタクトを通じて接触されて外部からカソード電圧を前記画素に提供することを特徴とする請求項９に記載の有機電界発光表示装置。
【請求項１２】
前記電源ラインは、前記画素領域の外廓部に配列される少なくとも一つ以上の入力端を備え、前記コンタクトは前記画素領域の外廓部のうち前記電源ラインの入力端が配列されていない外廓部に配列されることを特徴とする請求項９に記載の有機電界発光表示装置。
【請求項１３】
前記電源ラインは、前記画素領域の外廓部に配列される少なくとも一つ以上の入力端を備え、前記コンタクトは前記電源ラインの入力端と前記画素領域の外廓部に対向して配列されることを特徴とする請求項９に記載の有機電界発光表示装置。
【請求項１４】
複数の画素が配列される画素領域を備える絶縁基板と、
前記画素に電源電圧を供給するための複数の入力端を備える電源ラインと、
前記画素にカソード電圧を供給するためのカソードコンタクトを備えるカソード電極とを含み、
カソード電極のカソードコンタクトは、画素領域の外廓部のうち電源ラインの複数の入力端が配列されていない外廓部基板上に配列されることを特徴とする有機電界発光表示装置。
【請求項１５】
前記カソード電極は、外部からカソード電圧を印加するためのカソードバスラインをさらに備え、前記カソードバスラインと前記カソードコンタクトを通じて接触されて外部からカソード電圧を前記画素に提供することを特徴とする請求項１４に記載の有機電界発光表示装置。
【発明の詳細な説明】
【技術分野】
【０００１】
本発明は有機電界発光表示装置に係り、さらに具体的にはカソード電極と電源ラインの電圧降下が相互に補償される位置に電源ラインを配置する方法に関する。
【背景技術】
【０００２】
一般に、有機電界発光表示装置は自発光型表示装置であって、有機発光層から光が発光する方向によって背面発光構造と前面発光構造に分けられる。前面発光型有機電界発光表示装置は画素が配列された基板と反対方向に光が放出されるものであって、画素が配列された基板方向に光が放出される背面発光構造に比べて開口率を増加させることができる利点がある。
【０００３】
一方、前面発光構造では封じ用基板側に光を放出させなければならないので、カソード電極に透明電極を用いなければならない。一般に、透明電極としてＩＴＯまたはＩＺＯのような透明導電膜が使われるが、透明導電膜は仕事関数が高くてカソード電極として用いるのがむずかしい。
これのためにカソード電極として仕事関数が低い金属を有機発光層上に薄く蒸着して半透過金属膜を形成して、前記半透過金属膜上に透明導電膜を厚く蒸着して積層構造を有する透明電極を形成した。
【０００４】
しかし、積層構造のカソード電極は、有機薄膜層を形成した次に透明導電膜であるＩＴＯまたはＩＺＯ膜を蒸着するために、熱やプラズマによるＥＬ層の劣化を最小化するために低温蒸着工程を遂行する。低温でＩＴＯ膜やＩＺＯ膜を蒸着すれば、膜質が悪くて、抵抗率が高まる。
【０００５】
カソード電極は、共通電極として画素部に配列されたすべての画素に同一電圧が印加されなければならないが、カソード電極の高い抵抗率により電圧降下（ＩＲ  ｄｒｏｐ）が発生して位置によって画素別に相異なるレベルの電圧が印加される。したがって、カソード電極に外部端子からカソード電圧が印加される場合、外部端子に隣接した部分に配列された画素と外部端子と離れている部分に配列された画素間に電圧差が発生する。その結果、位置による画素別電圧差により輝度または画質の不均一をもたらした。
【０００６】
特に、中大型の前面発光型有機電界発光表示装置での電圧降下問題はより一層大きく浮き彫りにされる。これを解決するために前面発光構造においてカソードバスラインを用いる技術が国内特許第２００２−００５７３３６号に開示された。カソードバスラインは外部端子に連結されてカソード電極とコンタクトされるので、カソード電極がカソードバスラインを通じて外部端子に連結される。
【０００７】
この時、外部端子に連結されるカソードバスラインと全面蒸着されたカソード電極が接触される部分すなわち、カソードコンタクトの面積が狭ければ狭いほど電流密度が低くなって、これにより発熱が増加する問題点があった。
一方、共通電源電圧ＶＤＤを画素に印加する電源ラインの場合にも、電圧降下により位置によって画素別に電圧差が発生する問題点があった。従来に、駆動電源線と交差する方向に延びるバイパス線を駆動電源線と連結させることによって、抵抗増加を防止して駆動電源ラインの電圧降下を防止する技術が国内特許公開公報第２００１−００１４５０１号に開示された。しかし、前記方法は別途にバイパス線を形成しなければならない問題点があった。
【発明の開示】
【発明が解決しようとする課題】
【０００８】
したがって、本発明は前記したような従来技術の問題点を解決するためのものであって、本発明は電圧降下を補償するための有機電界発光表示装置の電源ラインとカソードコンタクトの配置構造を提供することにその目的がある。
本発明の他の目的は、電源ラインとカソード電極の電圧降下が相互に相殺されるように有機電界発光表示装置の電源ラインとカソードコンタクトの配置構造を提供することにある。
本発明の他の目的は、電源ラインとカソード電極を画素アレイを中心に対向するように配置してカソード電極の電圧降下と電源ラインの電圧降下を相互に補償することにその目的がある。
【課題を解決するための手段】
【０００９】
前記したような目的を達成するために、本発明は複数の画素が配列される画素領域を備える絶縁基板と、前記画素に第１電圧を供給するための電源ラインと、前記画素に第２電圧を供給するためのコンタクトを備える電極を含み、前記電源ラインの入力端と前記電極のコンタクトが画素領域を間に置いて相互に対向するように前記基板上に配列される有機電界発光表示装置を提供する。
【００１０】
また、本発明は複数の画素が配列される画素領域を備える絶縁基板と、前記画素に第１電圧を供給するための電源ラインと、前記画素に第２電圧を供給するためのコンタクトを備える電極を含み、前記電源ラインの入力端と前記電極のコンタクトは電源ラインの電圧降下とカソード電極の電圧降下が相互に相殺されるように画素領域の外廓部基板上に配列される有機電界発光表示装置を提供する。
【００１１】
また、本発明はそれぞれ第１電極とコンタクトを備える第２電極を少なくとも備える複数の画素が配列される画素領域を備える絶縁基板と、前記画素に電源電圧を供給するための電源ラインを含み、前記電源ラインに連結される画素の前記第１電極と第２電極間の電圧差が均一になるように、前記電源ラインの入力端と前記電極のコンタクトが画素領域の外廓部に配列される有機電界発光表示装置を提供する。
【００１２】
前記電極はカソード電極であって、前記コンタクトはカソードコンタクトであり、第２電圧はカソード電圧である。前記電極はカソード電極であって、外部からカソード電圧を印加するためのカソードバスラインをさらに備え、前記電極は前記カソードバスラインと前記コンタクトを通じて接触されて外部からカソード電圧を前記画素に提供する。
【００１３】
前記電源ラインは、前記画素領域の外廓部に配列される少なくとも一つ以上の入力端を備え、前記コンタクトは前記画素領域の外廓部のうち前記電源ラインの入力端が配列されていない外廓部に配列される。前記電源ラインは前記画素領域の外廓部に配列される少なくとも一つ以上の入力端を備え、前記コンタクトは前記電源ラインの入力端と前記画素領域の外廓部に対向して配列される。
【００１４】
また、本発明は複数の画素が配列される画素領域を備える絶縁基板と、前記画素に電源電圧を供給するための複数の入力端を備える電源ラインと、前記画素にカソード電圧を供給するためのカソードコンタクトを備えるカソード電極を含み、カソード電極のカソードコンタクトは画素領域の外廓部のうち電源ラインの複数の入力端が配列されていない外廓部基板上に配列される有機電界発光表示装置を提供する。
【発明の効果】
【００１５】
前記したような本発明によると、電源ラインの入力側とカソードコンタクトを相互に対向させて配置させることによって電源ラインとカソード電極の抵抗成分による電圧降下を相互に相殺させることによって、輝度均一度を向上させることができる。また、カソード電極とカソードバスラインとの接触面積を増加させてコンタクト抵抗及び発熱量を減少させることができる利点がある。
【発明を実施するための最良の形態】
【００１６】
以下、本発明の実施形態を添付した図面を参照しながら説明すれば次の通りである。
図１は、本発明の第１実施形態による有機電界発光表示装置の電源ライン配置方法を説明するための平面構造を示したものである。
図１を参照すれば、本発明の有機電界発光表示装置１００は、複数の画素が配列された画素領域１２０を備えた絶縁基板１１０を備える。前記画素領域１２０の外廓部の絶縁基板１００上には前記画素領域１２０の画素にスキャン信号を次々と提供するためのスキャンドライバー１５０と、前記画素領域１２０の画素にデータ信号を提供するためのデータドライバー１６０が配列される。
【００１７】
本発明の第１実施形態では、例えば前記スキャンドライバー１５０は画素領域１２０の左側絶縁基板１１０上に配列されて、データドライバー１６０は画素領域の下側絶縁基板１１０上に配列されたが、必ずこれに限られることはなく、前記スキャンドライバー１５０とデータドライバー１６０の位置を相互に変えることができるだけでなく、絶縁基板１１０の画素領域１２０の外廓部に適切に配列できる。
【００１８】
画素領域１２０は、複数の画素１２１−１２ｎが列と行のマトリックス状に配列される。画素領域１２０に配列された画素の等価回路図が示された図３を参照すれば、前記スキャンドライバー１５０からスキャン信号Ｓ１−Ｓｎが次々と印加される複数のゲートライン１５１と、前記データドライバー１６０からデータ信号ＶＤＡＴＡ１−ＶＤＡＴＡｎが印加される複数のデータライン１６１が交差するように配列される。前記データライン１６１とゲートライン１５１に連結されている画素Ｐ（図１の１２１−１２ｎに対応する）に電源電圧ＶＤＤを提供するための複数の電源ラインＶＤＤ１−ＶＤＤｎ、１４１が前記ゲートライン１５１と交差してデータライン１６１と並列に配列される。
【００１９】
Ｒ、Ｇ、Ｂ画素１２１が配列された画素領域１２０の上部には、カソード電極１３０が全面電極状に形成される。Ｒ、Ｇ、Ｂ単位画素は図面上には示さなかったが、薄膜トランジスタに連結された画素電極、有機発光層及びカソード電極１３０が積層された通常的な構造を有する。画素領域１２０に配列されたすべての単位画素１２１には、全面電極のカソード電極１３０を通じてカソード電圧が印加される。
【００２０】
カソード電極１３０は、外部からカソード電圧が印加される外部端子１８１と連結される金属膜、例えばカソードバスライン１８５と接触されるカソードコンタクト１８０を備える。前記カソードバスライン１８５は図面上には示さなかったが、前記画素領域１２０にライン状またはグリッド状等多様な形態に配列されて、前記カソードコンタクト１８０を通じてカソード電極１３０と連結される。それゆえ、カソードバスライン１８５は外部端子１８１から印加されるカソード電圧を各画素１２１−１２ｎに提供するように構成される。
【００２１】
また、各画素１２１に電源電圧ＶＤＤを提供するための電源ライン１４０が配列される。電源ライン１４０は、画素領域１２０に配列されて画素１２１−１２ｎに電源電圧ＶＤＤを供給するための複数のブランチライン１４１と、前記ブランチライン１４１に共通連結されて外部から提供される電源電圧ＶＤＤを前記ブランチライン１４１に入力させるための入力ライン１４２を備える。前記電源ライン１４０のうち複数のブランチライン１４１は、画素領域１２０に対応して配列されて、入力ライン１４２は画素領域１２０の左側外廓部すなわち、画素領域１２０とスキャンドライバー１５０間の絶縁基板１１０上に配列される。
【００２２】
図面のうち、１７０はＦＰＣ（ｆｌｅｘｉｂｌｅ  ｐｒｉｎｔｅｄ  ｃｉｒｃｕｉｔ）であって、スキャンドライバー１５０とデータドライバー１６０を例えば外部のコントローラー（図面上には示さない）と連結してコントローラーから信号を提供して、電源ライン１４０及びカソード電極１３０とコントローラーを連結してコントローラーから前記電源ライン１４０とカソード電極１３０に所定の電圧を提供するためである。
【００２３】
本発明の第１実施形態では、前記カソード電極１３０とカソードバスライン１８５を連結させるためのカソードコンタクト１８０を、画素領域１２０を中心にして前記電源ライン１４０の入力ライン１４２と相互に対向するように配列して、カソード電極１３０の電圧降下と電源ライン１４０の電圧降下を相互に補償してくれる。
すなわち、カソードコンタクト１８０は、画素領域１２０の外廓部のうち前記電源ライン１４０の入力ライン１４２が配列されていない絶縁基板１１０上に配列される。望ましくは、カソードコンタクト１８０は、画素領域１２０の各画素に電源電圧を入力するための電源ライン１４０の入力側、すなわち電源ライン１４０のブランチライン１４１に電源電圧を提供するための入力ライン１４２と対向する位置に配列させる。
【００２４】
したがって、電源ライン１４０から画素に電源電圧を提供するための電源ラインの入力側と対向する絶縁基板１１０上にカソードコンタクト１８０を位置させることによって、カソードコンタクト１８０を共通ライン１４２のように長く延長させて形成することが可能である。それゆえ、カソードコンタクト１８０の面積増加は、カソードバスライン１８５とカソード電極１３０間の接触面積を増加させコンタクト抵抗が減少されて、電流密度が低くなって発熱量も減少するようになる。
【００２５】
本発明の実施形態において、カソードコンタクト１８０と電源ライン１４０の入力側が相互に対向するように配置することによって、電源ライン１４０の電圧降下そしてカソード電極すなわち、カソードラインの電圧降下が相互に補償されるようにする。
すなわち、電源ライン１４０における電圧降下を説明すれば、同一ラインに連結された画素のうち、電源ライン１４０の入力ライン１４２、すなわち画素領域１２０の画素に電源電圧が入力される部分に隣接した画素１２１と電源ライン１４０の入力ライン１４２と離れて配置された画素１２ｎ間には、同一な電源電圧ＶＤＤが印加されなければならないが、電源ラインの抵抗成分による電圧降下により画素１２１の電源電圧ＶＤＤ１と画素１２ｎの電源電圧ＶＤＤｎ間には相異なるレベルの電源電圧が印加される。すなわち、画素１２１の電源電圧ＶＤＤ１より画素１２ｎの電源電圧ＶＤＤｎがさらに小さいレベルを持つようになる。
【００２６】
一方、カソード電極１３０の電圧降下を説明すれば、同一ラインに連結された画素のうち、カソードコンタクト１８０に離れて配列された画素１２１とカソードコンタクト１８０に隣接して配列された画素１２ｎには、同一なカソード電圧が印加されなければならないが、カソード電極１３０の抵抗成分による電圧降下により相異なるレベルのカソード電圧が印加される。すなわち、カソードコンタクト１８０に隣接した画素１２ｎに印加されるカソード電圧よりカソードコンタクト１８０に離れて配列された画素１２１に印加されるカソード電圧のレベルがさらに小さい。
【００２７】
カソードコンタクト１８０と電源ライン１４０の入力側がすべて画素領域１２０の一側、例えば左側に配列されたと仮定すれば、画素１２ｎには電源電圧ＶＤＤが電源ラインの電圧降下により画素１２１より相対的に低い電圧が印加されて、カソード電圧もカソード電極の電圧降下により画素１２１より相対的に低い電圧が印加される。
それゆえ、画素１２ｎは、画素１２１に比べて電源ラインの電圧降下とカソードラインの電圧降下が重なって、電圧降下の影響がより一層増加するようになる。したがって、画素１２１のアノード電極とカソード電極間の電圧差と画素１２ｎのアノード電極とカソード電極間の電圧差が大きい差を有するようになるので、輝度不均一問題がより一層深刻になる。
【００２８】
しかし、本発明におけるように、カソードコンタクト１８０と電源ライン１４０の入力側が相互に対向するように配置される場合には、電源ライン１４０による電圧降下は、画素１２１より画素１２ｎで影響が大きく及ぼして、カソード電極１３０による電圧降下は画素１２ｎより画素１２１での影響が大きくなる。したがって、画素領域１２０に配列されるすべての画素のアノード電極とカソード電極間の電圧差を位置別に均一に維持させることによって、電圧降下による影響を相互に相殺させて輝度不均一を減少させることができる。
【００２９】
図２は、本発明の第２実施形態による有機電界発光表示装置の電源ライン配置方法を説明するための平面構造を示したものである。
図２を参照すれば、本発明の第２実施形態による有機電界発光表示装置では、カソードコンタクトと電源ラインの入力側が第１実施形態と相互に変わって配列されることだけが違って、それによる効果は第１実施形態と同一である。第２実施形態による有機電界発光表示装置の画素領域に配列される画素の配列構造は、第１実施形態でのように配列される。
【００３０】
図４は、本発明の第３実施形態による有機電界発光表示装置の電源ライン配置方法を説明するための概略的な平面構造を示したものである。
本発明の第１及び第２実施形態では、一つの入力ラインを備える電源ラインの配列方法に対して例示したが、第３実施形態では、複数の入力ラインを備える場合の電源ラインの配列方法に対して例示した。
【００３１】
図４を参照すれば、第３実施形態による有機電界発光表示装置では、電源ライン３４０が複数の入力ライン、例えば３個の入力ライン３４２ａ、３４２ｂ、３４２ｃを備える。前記電源ライン３４０は、前記複数の入力ライン３４２ａ、３４２ｂ、３４２ｃが画素領域３４０の外廓部に配列されて、入力ライン３４２ａ、３４２ｂ、３４２ｃからブランチライン３４１を通じて画素領域３２０の複数の画素１２１−１２ｎに電源電圧を提供する。
【００３２】
一方、カソード電極３３０は、カソードコンタクト３８０を通じてカソードバスライン３８５に連結され、前記カソードコンタクト３８０は画素領域３２０の外廓部のうち前記電源ライン３４０の複数の入力ライン３４２ａ、３４２ｂ、３４２ｃが配列されていない外廓部に位置するよう配列する。したがって、前記カソードコンタクト３８０は、画素領域３２０の外廓部のうち、前記電源ライン３４０の複数の入力ライン３４２ａ、３４２ｂ、３４２ｃが配列されていない右側外廓部に配列される。
【００３３】
第３及び第４実施形態による有機電界発光表示装置も、第１及び第２実施形態による有機電界発光表示装置と同様に、電源ラインの入力端が配列されていない画素領域の一側外廓部の基板上にカソードコンタクトを配置することによって、前記したような電圧降下相殺効果を得ることができる。この時、第３及び第４実施形態による有機電界発光表示装置の画素領域に配列される画素の配列構造は、第１実施形態でのように配列される。
【００３４】
図５は、本発明の第４実施形態による有機電界発光表示装置の電源ライン配置方法を説明するための概略的な平面構造を示したものである。
図５を参照すれば、第４実施形態による有機電界発光表示装置は、図４の第３実施形態による有機電界発光表示装置と同様に電源ライン４４０が多数の入力ライン４４２a、４４２ｂ、４４２ｃを備える。
【００３５】
但し、第３実施形態の有機電界発光表示装置は、多数の入力ライン３４２a、３４２ｂ、３４２ｃから同時にブランチライン３４１を通じて画素領域３２０の多数の画素１２１−１２ｎで電源電圧を提供する一方、第４実施形態による有機電界発光表示装置は、多数の入力ライン４４２a、４４２ｂ、４４２ｃのうち、入力ライン４４２ｂからブランチライン４４１を通じて画素領域４２０の多数の画素１２１−１２ｎで電源電圧を提供する
従って、第４実施形態では、カソードコンタクト４８０が前記多数の入力ライン４４２a、４４２ｂ、４４２ｃのうち、ブランチライン４４１が連結されている入力ライン４４２ｂが配列されていない画素領域４２０の外廓部に配列される。
【００３６】
本発明の第３及び第４実施形態による有機電界発光表示装置では、電源ラインの３個の入力ラインを備える場合に対して説明したが、電源ラインが複数個の入力端を備える多様な構造に適用可能であり、この時カソードコンタクトは画素領域の外廓部のうち電源ラインの入力端が存在しない画素領域の外廓部の一側基板上に配列する。したがって、カソードコンタクトを電源ラインの入力端が配列されていない画素領域の外廓部に配置することによって、電圧降下相殺効果を得るようになる。また、電源ラインのブランチラインが画素領域でメッシュ状、またはストライフ状に配列される構造を例示したが、ブランチラインの構造は必ずこれに限られることでなく各入力端から各画素に電源電圧を供給することができる構造はすべて可能である。
【００３７】
前記したような本発明によると、電源ラインの入力側とカソードコンタクトを相互に対向させて配置させることにより電源ラインとカソード電極の抵抗成分による電圧降下を相互に相殺させることによって、輝度均一度を向上させることができる。また、カソード電極とカソードバスラインとの接触面積を増加させてコンタクト抵抗及び発熱量を減少させることができる利点がある。
【００３８】
前記では本発明の望ましい実施形態を参照しながら説明したが、該技術分野の熟練された当業者は、特許請求の範囲に記載された本発明の思想及び領域から外れない範囲内で、本発明を多様に修正及び変更させることができることを理解することができる。
【図面の簡単な説明】
【００３９】
【図１】本発明の第１実施形態による有機電界発光表示装置の電源配置方法を説明するための図である。
【図２】本発明の第２実施形態による有機電界発光表示装置の電源配置方法を説明するための図である。
【図３】本発明の有機電界発光表示装置において、画素領域の画素配列を示した図である。
【図４】本発明の第３実施形態による有機電界発光表示装置の電源配置方法を説明するための図である。
【図５】本発明の第４実施形態による有機電界発光表示装置の電源配置方法を説明するための図である。
【符号の説明】
【００４０】
１００…有機電界発光表示装置
１１０…絶縁基板
１２０…画素領域
１２１〜１２ｎ…画素
１３０…カソード電極
１４０…電源ライン
１４１…ブランチライン
１４２…入力ライン
１５０…スキャンドライバー
１５１…ゲートライン
１６０…データドライバー
１６１…データライン
１７０…ＦＰＣ
１８０…カソードコンタクト
１８１…外部端子
１８５…カソードバスライン
Ｓ１〜Ｓｎ…スキャン信号
【図１】
2005078071.tif 000003
【図２】
2005078071.tif 000004
【図３】
2005078071.tif 000005
【図４】
2005078071.tif 000006
【図５】
2005078071.tif 000007